(57)【要約】【課題】タブ紙の画像情報を失うことなく、原稿画像の画像サイズが揃えられた画像ファイルを作成することができる画像処理装置を提供する。【解決手段】読取装置による原稿の読取画像を処理する画像処理装置であって、原稿の読取画像が、用紙本体部の所定位置にタブ部が突出して設けられているタブ紙の画像であることを認識する認識部と、認識部によりタブ紙の画像が認識される場合、タブ紙の画像からタブ部の画像を分離する分離部と、分離部により分離されたタブ部の画像を当該タブ部の画像が分離されたタブ紙の用紙本体部の画像上に重ね合わせることにより、当該用紙本体部の画像と同一の画像サイズを有するタブ埋込画像を生成する生成部とを有する。【選択図】図７
2010171492.tif 000002
【特許請求の範囲】
【請求項１】
読取装置による原稿の読取画像を処理する画像処理装置であって、
前記原稿の読取画像が、用紙本体部の所定位置にタブ部が突出して設けられているタブ紙の画像であることを認識する認識部と、
前記認識部により前記タブ紙の画像が認識される場合、前記タブ紙の画像から前記タブ部の画像を分離する分離部と、
前記分離部により分離された前記タブ部の画像を当該タブ部の画像が分離された前記タブ紙の前記用紙本体部の画像上に重ね合わせることにより、当該用紙本体部の画像と同一の画像サイズを有するタブ埋込画像を生成する生成部と、
を有することを特徴とする画像処理装置。
【請求項２】
前記分離部により分離された前記タブ部の画像と前記用紙本体部の画像とは、一つの画像ファイル内にそれぞれ個別に格納されていることを特徴とする請求項１に記載の画像処理装置。
【請求項３】
前記タブ埋込画像を、ユーザが操作可能な操作画面上に表示する表示部をさらに有することを特徴とする請求項１または２に記載の画像処理装置。
【請求項４】
前記操作画面上に表示される前記タブ埋込画像における前記タブ部の画像の位置の変更についての前記ユーザによる指示を受付ける位置変更受付部をさらに有し、
前記表示部は、前記位置変更受付部により受付けられた前記位置に前記タブ部の画像が重ね合わされている前記タブ埋込画像を表示することを特徴とする請求項３に記載の画像処理装置。
【請求項５】
前記操作画面上に表示される前記タブ埋込画像における前記タブ部の画像の画像サイズの変更についての前記ユーザによる指示を受付けるサイズ変更受付部をさらに有し、
前記表示部は、前記サイズ変更受付部により受付けられた前記画像サイズを有する前記タブ部の画像が重ね合わされている前記タブ埋込画像を表示することを特徴とする請求項３または４に記載の画像処理装置。
【請求項６】
前記操作画面上には、前記タブ埋込画像を含む複数の原稿の画像が表示されており、
前記画像処理装置は、
前記操作画面上に表示される前記タブ埋込画像における前記タブ部の画像の他の原稿の画像上への移動についての前記ユーザによる指示を受付ける移動受付部をさらに有し、
前記表示部は、前記移動受付部により受付けられた前記他の原稿の画像に前記タブ部の画像が重ね合わされている前記複数の原稿の画像を表示することを特徴とする請求項３〜５のいずれか１項に記載の画像処理装置。
【請求項７】
前記タブ埋込画像から前記タブ紙の画像を復元する復元部と、
前記復元部により復元された前記タブ紙の画像を印刷する画像形成部と、をさらに有することを特徴とする請求項１〜６のいずれか１項に記載の画像処理装置。
【請求項８】
前記タブ埋込画像を印刷する画像形成部をさらに有することを特徴とする請求項１〜６のいずれか１項に記載の画像処理装置。
【請求項９】
読取装置による原稿の読取画像を処理する画像処理方法であって、
前記原稿の読取画像が、用紙本体部の所定位置にタブ部が突出して設けられているタブ紙の画像であることを認識するステップ（ａ）と、
前記ステップ（ａ）において前記タブ紙の画像が認識される場合、前記タブ紙の画像から前記タブ部の画像を分離するステップ（ｂ）と、
前記ステップ（ｂ）において分離された前記タブ部の画像を当該タブ部の画像が分離された前記タブ紙の前記用紙本体部の画像上に重ね合わせることにより、当該用紙本体部の画像と同一の画像サイズを有するタブ埋込画像を生成するステップ（ｃ）と、
を有することを特徴とする画像処理方法。
【請求項１０】
読取装置による原稿の読取画像を処理する画像処理プログラムであって、
前記原稿の読取画像が、用紙本体部の所定位置にタブ部が突出して設けられているタブ紙の画像であることを認識する手順（ａ）と、
前記手順（ａ）において前記タブ紙の画像が認識される場合、前記タブ紙の画像から前記タブ部の画像を分離する手順（ｂ）と、
前記手順（ｂ）において分離された前記タブ部の画像を当該タブ部の画像が分離された前記タブ紙の前記用紙本体部の画像上に重ね合わせることにより、当該用紙本体部の画像と同一の画像サイズを有するタブ埋込画像を生成する手順（ｃ）と、
をコンピュータに実行させることを特徴とする画像処理プログラム。
【請求項１１】
請求項１０に記載の画像処理プログラムを記録したコンピュータ読み取り可能な記録媒体。
【発明の詳細な説明】
【技術分野】
【０００１】
本発明は、画像処理装置、画像処理方法、および画像処理プログラムに関する。本発明は、特に、読取装置による原稿の読取画像を処理する画像処理装置、画像処理方法、および画像処理プログラムに関する。
【背景技術】
【０００２】
複数の原稿をスキャナで連続して読み込んで、一の画像ファイルを作成する技術が知られている。画像ファイルに含まれる複数の原稿の画像は、専用の画像ビューアを介して、たとえば、ＰＣ（パーソナルコンピュータ）のディスプレイ上に表示される。
【０００３】
このような原稿の読み取り技術では、複数の読取原稿の中にタブ紙が含まれている場合、他の原稿よりも幅の広いタブ紙の画像の幅と他の原稿の画像の幅とが揃えられるため、タブ紙の画像が縮小されて画像ファイル内に格納される。したがって、読取原稿にタブ紙が含まれる場合、タブ紙の画像の画像サイズが他の原稿の画像よりも小さくなってしまうという問題がある。
【０００４】
一方、タブ紙を含む複数の原稿を読み取る技術としては、スキャナにより読み込まれた原稿がタブ紙と認識される場合、タブ紙を削除または白紙にして、原稿をレイアウト表示する画像処理装置が提案されている（特許文献１参照）。このような構成によれば、タブ紙の画像の幅と他の原稿の画像の幅とを揃える必要がないため、他の原稿の画像に対してタブ紙の画像の画像サイズが小さくなるという問題が回避され得る。
【０００５】
しかしながら、上記画像処理装置では、タブ紙の画像情報が失われてしまうという問題がある。たとえば、タブ紙のタブ部に何らかの文字が記載されていた場合、タブ部の文字情報が失われてしまう。
【先行技術文献】
【特許文献】
【０００６】
【特許文献１】特開２００３−２０９６８０号公報
【発明の概要】
【発明が解決しようとする課題】
【０００７】
本発明は、上述した課題に鑑みてなされたものである。したがって、本発明の目的は、タブ紙の画像情報を失うことなく、原稿画像の画像サイズが揃えられた画像ファイルを作成することができる画像処理装置、画像処理方法、および画像処理プログラムを提供することである。
【課題を解決するための手段】
【０００８】
本発明の上記目的は、下記の手段によって達成される。
【０００９】
（１）読取装置による原稿の読取画像を処理する画像処理装置であって、前記原稿の読取画像が、用紙本体部の所定位置にタブ部が突出して設けられているタブ紙の画像であることを認識する認識部と、前記認識部により前記タブ紙の画像が認識される場合、前記タブ紙の画像から前記タブ部の画像を分離する分離部と、前記分離部により分離された前記タブ部の画像を当該タブ部の画像が分離された前記タブ紙の前記用紙本体部の画像上に重ね合わせることにより、当該用紙本体部の画像と同一の画像サイズを有するタブ埋込画像を生成する生成部と、を有することを特徴とする画像処理装置。
【００１０】
（２）前記分離部により分離された前記タブ部の画像と前記用紙本体部の画像とは、一つの画像ファイル内にそれぞれ個別に格納されていることを特徴とする上記（１）に記載の画像処理装置。
【００１１】
（３）前記タブ埋込画像を、ユーザが操作可能な操作画面上に表示する表示部をさらに有することを特徴とする上記（１）または（２）に記載の画像処理装置。
【００１２】
（４）前記操作画面上に表示される前記タブ埋込画像における前記タブ部の画像の位置の変更についての前記ユーザによる指示を受付ける位置変更受付部をさらに有し、前記表示部は、前記位置変更受付部により受付けられた前記位置に前記タブ部の画像が重ね合わされている前記タブ埋込画像を表示することを特徴とする上記（３）に記載の画像処理装置。
【００１３】
（５）前記操作画面上に表示される前記タブ埋込画像における前記タブ部の画像の画像サイズの変更についての前記ユーザによる指示を受付けるサイズ変更受付部をさらに有し、前記表示部は、前記サイズ変更受付部により受付けられた前記画像サイズを有する前記タブ部の画像が重ね合わされている前記タブ埋込画像を表示することを特徴とする上記（３）または（４）に記載の画像処理装置。
【００１４】
（６）前記操作画面上には、前記タブ埋込画像を含む複数の原稿の画像が表示されており、前記画像処理装置は、前記操作画面上に表示される前記タブ埋込画像における前記タブ部の画像の他の原稿の画像上への移動についての前記ユーザによる指示を受付ける移動受付部をさらに有し、前記表示部は、前記移動受付部により受付けられた前記他の原稿の画像に前記タブ部の画像が重ね合わされている前記複数の原稿の画像を表示することを特徴とする上記（３）〜（５）のいずれか一つに記載の画像処理装置。
【００１５】
（７）前記タブ埋込画像から前記タブ紙の画像を復元する復元部と、前記復元部により復元された前記タブ紙の画像を印刷する画像形成部と、をさらに有することを特徴とする上記（１）〜（６）のいずれか一つに記載の画像処理装置。
【００１６】
（８）前記タブ埋込画像を印刷する画像形成部をさらに有することを特徴とする上記（１）〜（６）のいずれか一つに記載の画像処理装置。
【００１７】
（９）読取装置による原稿の読取画像を処理する画像処理方法であって、前記原稿の読取画像が、用紙本体部の所定位置にタブ部が突出して設けられているタブ紙の画像であることを認識するステップ（ａ）と、前記ステップ（ａ）において前記タブ紙の画像が認識される場合、前記タブ紙の画像から前記タブ部の画像を分離するステップ（ｂ）と、前記ステップ（ｂ）において分離された前記タブ部の画像を当該タブ部の画像が分離された前記タブ紙の前記用紙本体部の画像上に重ね合わせることにより、当該用紙本体部の画像と同一の画像サイズを有するタブ埋込画像を生成するステップ（ｃ）と、を有することを特徴とする画像処理方法。
【００１８】
（１０）読取装置による原稿の読取画像を処理する画像処理プログラムであって、前記原稿の読取画像が、用紙本体部の所定位置にタブ部が突出して設けられているタブ紙の画像であることを認識する手順（ａ）と、前記手順（ａ）において前記タブ紙の画像が認識される場合、前記タブ紙の画像から前記タブ部の画像を分離する手順（ｂ）と、前記手順（ｂ）において分離された前記タブ部の画像を当該タブ部の画像が分離された前記タブ紙の前記用紙本体部の画像上に重ね合わせることにより、当該用紙本体部の画像と同一の画像サイズを有するタブ埋込画像を生成する手順（ｃ）と、をコンピュータに実行させることを特徴とする画像処理プログラム。
【００１９】
（１１）上記（１０）に記載の画像処理プログラムを記録したコンピュータ読み取り可能な記録媒体。
【発明の効果】
【００２０】
本発明によれば、他の原稿よりも幅の広いタブ紙の画像が、他の原稿と同一の画像サイズを有するタブ埋込画像に変換されるため、タブ紙の画像情報を失うことなく、原稿画像の画像サイズが揃えられた画像ファイルを作成することができる。
【図面の簡単な説明】
【００２１】
【図１】本発明の一実施形態にかかる画像処理システムの全体構成を示すブロック図である。
【図２】図１に示されるＭＦＰの構成を示す概略正面図である。
【図３】図１に示されるＭＦＰの構成を示すブロック図である。
【図４】図３に示されるＭＦＰの記憶部の内容を示すブロック図である。
【図５】図１に示されるＰＣの構成を示すブロック図である。
【図６】図１に示されるＭＦＰにおける画像生成処理を説明するためのフローチャートである。
【図７】見出しタブ付画像を生成する処理を説明するための図である。
【図８】図１に示されるＭＦＰにより作成された原稿の画像ファイルの概略構成を示す図である。
【図９】図１に示されるＰＣのディスプレイ上に表示される原稿の画像を示す図である。
【図１０】図１に示されるＰＣにおける画像編集処理を説明するためのフローチャートである。
【図１１】タブ部の画像の他の原稿の画像上への移動に対応する画像ファイルの変更内容を示す図である。
【図１２】タブ部の画像の画像サイズの変更に対応する画像ファイルの変更内容を示す図である。
【図１３】図１に示されるＭＦＰにおける画像印刷処理を説明するためのフローチャートである。
【図１４】タブ紙の画像を復元する処理を説明するための図である。
【発明を実施するための形態】
【００２２】
以下、図面を参照して、本発明の実施形態を詳細に説明する。
【００２３】
図１は、本発明の一実施形態にかかる画像処理システムの全体構成を示すブロック図である。
【００２４】
図１に示されるとおり、本実施形態の画像処理システムは、ＭＦＰ（Ｍｕｌｔｉ−Ｆｕｎｃｔｉｏｎ  Ｐｅｒｉｐｈｅｒａｌ）１００と、ネットワーク端末としてのＰＣ（パーソナルコンピュータ）２００とを備え、これらはネットワーク３００を介して相互に通信可能に接続されている。
【００２５】
ネットワーク３００は、イーサネット（登録商標）、トークンリング、ＦＤＤＩ等の規格によりコンピュータやネットワーク機器同士を接続したＬＡＮや、ＬＡＮ同士を専用線で接続したＷＡＮ等からなる。なお、ネットワーク３００に接続される機器の種類および台数は、図１に示す例に限定されない。また、ＭＦＰ１００とＰＣ２００とは、ネットワーク３００を介することなく直接機器間で接続（ローカル接続）されていてもよい。
【００２６】
図２は、図１に示されるＭＦＰの構成を示す概略正面図であり、図３は、図１に示されるＭＦＰの構成を示すブロック図である。
【００２７】
図２および図３に示されるとおり、本実施形態のＭＦＰ１００は、制御部１０１、記憶部１０２、操作パネル部１０３、ＡＤＦ（Ａｕｔｏ  Ｄｏｃｕｍｅｎｎｔ  Ｆｅｅｄｅｒ）１０４、画像読取部１０５、給紙部１０６、画像形成部１０７、通信インタフェース１０８、および後処理部１０９を備えており、これらは信号をやり取りするためのバス１１０を介して相互に接続されている。
【００２８】
制御部１０１はＣＰＵであり、プログラムにしたがって上記各部の制御や各種の演算処理を行う。記憶部１０２は、予め各種プログラムや各種データを格納しておくＲＯＭ、作業領域として一時的にプログラムやデータを記憶するＲＡＭ、オペレーティングシステムを含む各種プログラムや各種データを格納するハードディスク等からなる。
【００２９】
操作パネル部１０３は、タッチパネル、テンキー、スタートボタン、ストップボタン等を備えており、各種情報の表示および各種指示の入力に使用される。
【００３０】
ＡＤＦ１０４は、セットされた複数枚の原稿を１枚ずつ画像読取部１０５の所定の読み取り位置まで順次搬送し、そして画像読み取り後の原稿を順次排出する。
【００３１】
画像読取部１０５は、読取装置として、所定の読み取り位置にセットされた原稿またはＡＤＦ１０４により所定の読み取り位置に搬送された原稿に蛍光ランプ等の光源で光を当て、その反射光をＣＣＤイメージセンサ等の撮像装置で光電変換して、その電気信号から画像データを生成する。
【００３２】
給紙部１０６ａ〜１０６ｃは、印刷に使用される記録材としての用紙を収容する。給紙部１０６（１０６ａ〜１０６ｃの総称）は、収容された用紙を１枚ずつ画像形成部１０７に送り出す。
【００３３】
画像形成部１０７は、帯電、露光、現像、転写および定着の各工程を含む電子写真式プロセス等の周知の作像プロセスを用いて、各種データに基づく画像を用紙上に印刷する。
【００３４】
通信インタフェース１０８は、外部機器と通信するためのインタフェースであり、イーサネット（登録商標）、トークンリング、ＦＤＤＩ等の規格によるネットワークインタフェース、ＵＳＢ、ＩＥＥＥ１３９４等のシリアルインタフェース、ＳＣＳＩ、ＩＥＥＥ１２８４等のパラレルインタフェース、ＢＬＵＥＴＯＯＴＨ（登録商標）、ＩＥＥＥ８０２.１１、ＨｏｍｅＲＦ、ＩｒＤＡ等の無線通信インタフェース、電話回線に接続するための電話回線インタフェース等を利用することができる。
【００３５】
後処理部１０９は、画像形成部１０７から搬送される印刷後の用紙に対して施されるフィニッシング処理を行う。フィニッシング処理としては、例えば、用紙の束をステープルで綴じるステープル処理、用紙の端部にファイリング用の穴をあけるパンチ穴あけ処理、用紙を束ねて本の形に作り上げる製本処理、用紙を折る折り加工処理、および用紙の端部を切断するトリマ処理が挙げられる。
【００３６】
図４は、図３に示されるＭＦＰの記憶部の内容を示すブロック図である。
【００３７】
図４に示されるとおり、ＭＦＰ１００の記憶部１０２は、タブ検出部、タブ分割部、タブ合成部、印刷データ解析部、および画像データ生成部に対応するプログラムを格納するための領域を有する。タブ検出部は、タブ紙の画像におけるタブ部の画像の位置を検出する。タブ分割部は、タブ紙の画像を、タブ部の画像と用紙本体部の画像とに分割する。タブ合成部は、タブ分割部により分割されたタブ部の画像と用紙本体部の画像とを合成して、見出しタブ付画像（タブ埋込画像）を生成する。印刷データ解析部は、ＰＣ２００から受信される印刷データを解析し、原稿画像が見出しタブ付画像であるか否かを判断する。画像データ生成部は、印刷データに基づいて、印刷用の画像データを生成するとともに、印刷設定を実行する。なお、タブ検出部、タブ分割部、タブ合成部、印刷データ解析部、および画像データ生成部の機能は、それぞれに対応するプログラムを制御部１０１が実行することにより発揮される。
【００３８】
図５は、図１に示されるＰＣの構成を示すブロック図である。
【００３９】
図５に示されるとおり、本実施形態のＰＣ２００は、制御部２０１、記憶部２０２、入力装置２０３、ディスプレイ２０４、および通信インタフェース２０５を備えており、これらは信号をやり取りするためのバス２０６を介して相互に接続されている。なお、ＰＣ２００の上記各部のうち、ＭＦＰ１００の上記各部と同様の機能を有する部分については、説明の重複を避けるためその説明を省略する。
【００４０】
記憶部２０２には、原稿の画像ファイルを操作可能な操作画面を提供するための画像編集アプリケーションと、印刷データを生成するためのプリンタドライバとがインストールされている。
【００４１】
入力装置２０３は、マウス等のポインティングデバイスやキーボードを含み、各種の入力を行うために使用される。ディスプレイ２０４は、たとえば、液晶ディスプレイであり、各種の情報を表示する。
【００４２】
なお、ＭＦＰ１００およびＰＣ２００は、それぞれ、上記した構成要素以外の構成要素を含んでいてもよく、あるいは、上記した構成要素のうちの一部が含まれていなくてもよい。
【００４３】
以上のとおり構成される本実施形態の画像処理システムでは、ＭＦＰ１００の画像読取部１０５による原稿の読取画像がタブ紙の画像であると認識される場合、タブ紙の画像からタブ部の画像が分離されて、見出しタブ付画像が生成される。以下、図６〜図１４を参照して、本実施形態における画像処理システムの動作について説明する。
【００４４】
図６は、図１に示されるＭＦＰにおける画像生成処理を説明するためのフローチャートである。なお、図６のフローチャートにより示されるアルゴリズムは、ＭＦＰ１００の記憶部１０２にプログラムとして記憶されており、制御部１０１により実行される。
【００４５】
図６に示されるとおり、本実施形態の画像生成処理では、まず、原稿の画像が読み取られる（ステップＳ１０１）。本実施形態では、タブ紙を含む複数の原稿がＭＦＰ１００のＡＤＦ１０４にセットされ、画像読取部１０５により原稿の画像が読み取られる。読み取られた画像データ（以下、読取画像と称する）は、記憶部１０２に格納される。
【００４６】
次に、読取画像の画像サイズが求められる（ステップＳ１０２）。本実施形態では、ステップＳ１０１に示す処理で取得された読取画像の画素数に基づいて、読取画像の画像サイズが求められる。具体的には、下記の表１に示すような画素数−用紙サイズ変換テーブルを参照することにより、読取画像の画素数から、読取画像の画像サイズが求められる。
【００４７】
【表１】
2010171492.tif 000003
【００４８】
次に、読取画像がタブ紙の画像であるか否かが判断される（ステップＳ１０３）。本実施形態では、ステップＳ１０２に示す処理で求められた読取画像の画像サイズから、ステップＳ１０１に示す処理で読み取られた読取画像が、タブ紙の画像であるか否かが判断される。
【００４９】
読取画像がタブ紙の画像でないと判断される場合（ステップＳ１０３：ＮＯ）、ステップＳ１０６以下の処理に移行する。一方、読取画像がタブ紙の画像であると判断される場合（ステップＳ１０３：ＹＥＳ）、見出しタブ付画像生成処理が有効であるか否かが判断される（ステップＳ１０４）。本実施形態では、タブ紙の画像から見出しタブ付画像を生成する処理についてのユーザ設定が有効であるか否かが判断される。
【００５０】
見出しタブ付画像生成処理が有効でないと判断される場合（ステップＳ１０４：ＮＯ）、ステップＳ１０６以下の処理に移行する。一方、見出しタブ付画像生成処理が有効であると判断される場合（ステップＳ１０４：ＹＥＳ）、見出しタブ付画像が生成される（ステップＳ１０５）。本実施形態では、タブ紙の画像からタブ部の画像が分離され、残りの用紙本体部の画像上にタブ部の画像が重ね合わされることにより、用紙本体部の画像と同一の画像サイズを有する見出しタブ付画像が生成される。
【００５１】
図７は、見出しタブ付画像を生成する処理を説明するための図である。
【００５２】
図７（Ａ）は、タブ紙の画像を示す図であり、図７（Ｂ）は、タブ紙の画像からタブ部の画像が分離された状態を示す図である。図７（Ｃ）は、見出しタブ付画像を示す図である。
【００５３】
図７（Ａ）に示されるとおり、タブ紙の画像４００は、用紙本体部の画像４１０と、タブ部の画像４２０とから構成される。タブ部の画像４２０は、用紙本体部の画像４１０の所定位置から突出している。タブ紙の画像４００がＡ４サイズのタブ紙に対応する場合、タブ紙の画像４００の画像サイズは、５２５５×７０１５ドットであり、タブ部の画像サイズ分だけ、Ａ４サイズの用紙の画像（４９６０×７０１５ドット）よりも幅が広い。
【００５４】
図７（Ｂ）に示されるとおり、本実施形態の見出しタブ付画像生成処理では、まず、タブ部の画像４２０が、タブ紙の画像４００から分離される。具体的には、一般的なＡ４サイズの用紙の画像サイズと同一のデータ領域（４９６０×７０１５ドット）が用紙本体部の画像４１０と認識され、用紙本体部の画像４１０を除く残りの画像であるタブ部の画像４２０が、タブ紙の画像４００から分離される。このとき、タブ紙の画像４００の形状から、タブ紙の画像４００におけるタブ部の画像４２０の位置が検出される。
【００５５】
そして、図７（Ｃ）に示されるとおり、タブ部の画像４２０が、用紙本体部の画像４１０上に重ね合わされることにより、見出しタブ付画像４５０が生成される。具体的には、副走査方向（図７の上下方向）におけるタブ部の画像４２０の位置を変更することなく、主走査方向（図７の左右方向）におけるタブ部の画像４２０の位置が、用紙本体部の画像４１０に向かって２９５ドット分移動されることにより、見出しタブ付画像４５０が生成される。
【００５６】
そして、見出しタブ付画像４５０または読取画像が記憶部１０２に記憶され（ステップＳ１０６）、処理が終了される。具体的には、ステップＳ１０１に示す処理で読み取られた原稿の読取画像、または、ステップＳ１０５に示す処理で生成された見出しタブ付画像４５０が、記憶部１０２に記憶される。
【００５７】
以上のとおり、図６に示されるフローチャートの処理によれば、原稿の読取画像がタブ紙の画像であると認識される場合、タブ紙の画像からタブ部の画像が分離され、用紙本体部の画像上に重ね合わされることにより、見出しタブ付画像が生成される。見出しタブ付画像４５０は、他の原稿の画像とともに一の画像ファイルに格納される。
【００５８】
図８は、図１に示されるＭＦＰにより作成された原稿の画像ファイルの概略構成を示す図である。本実施形態では、原稿の画像ファイルとして、ＰＤＦファイル（Ｐｏｒｔａｂｌｅ  Ｄｏｃｕｍｅｎｔ  Ｆｏｒｍａｔ）が用いられる場合を示す。
【００５９】
図８に示されるとおり、画像ファイル５００には、用紙本体部のデータ５１０と、タブ部のデータ５２０とが格納されている。用紙本体部のデータ５１０は、原稿の読取画像毎に生成されており、画像読取部１０５により読み取られた順に並んでいる。タブ部のデータ５２０は、タブ紙に対応する用紙本体部のデータ５１０の下部にのみ付加されている。
【００６０】
用紙本体部のデータ５１０は、用紙本体部の画像データ５１１と、描画コマンド５１２とを含む。用紙本体部の画像データ５１１は、用紙本体部の画像情報を示しており、描画コマンド５１２は、用紙本体部の画像の描画情報を示している。
【００６１】
タブ部のデータ５２０は、タブ部の画像データ５２１と、描画コマンド５２２と、タブ識別子５２３と、を有する。タブ部の画像データ５２１は、タブ部の画像情報を示しており、描画コマンド５２２は、タブ部の画像の描画情報を示している。タブ識別子５２３は、見出しタブ付画像４５０を識別するためのものであり、元のタブ紙の画像４００におけるタブ部の画像４２０の位置情報を示している。
【００６２】
図９は、図１に示されるＰＣのディスプレイ上に表示される原稿の画像を示す図である。本実施形態では、ＭＦＰ１００により作成された原稿の画像ファイルが、ＭＦＰ１００からＰＣ２００に転送され、ＰＣ２００のディスプレイ２０４上に表示される。
【００６３】
図９に示されるとおり、本実施形態では、専用の操作画面６００上に原稿の画像が表示される。画像ファイルに格納されている複数の原稿の画像は、操作画面６００のスクロールバー６１０を移動させることにより、操作画面６００上に表示される。本実施形態では、他の用紙の画像よりも幅の広いタブ紙の画像が、他の用紙と同一の画像サイズを有する見出しタブ付画像に変換されているため、タブ紙の画像のみが縮小されたり、タブ紙の画像に合わせて、すべての画像が縮小されたりすることが防止される。したがって、本実施形態によれば、タブ紙の画像情報を失うことなく、原稿画像の画像サイズが揃えられた画像ファイルが提供される。
【００６４】
次に、図１０〜図１２を参照して、見出しタブ付画像４５０を編集する処理について説明する。本実施形態では、ユーザが、マウス等のポインティングデバイスを用いて、操作画面６００上でタブ部の画像４２０をドラッグ＆ドロップすることにより、見出しタブ付画像４５０が編集される。
【００６５】
図１０は、図１に示されるＰＣにおける画像編集処理を説明するためのフローチャートである。なお、図１０のフローチャートにより示されるアルゴリズムは、ＰＣ２００の記憶部２０２にプログラムとして記憶されており、制御部２０１により実行される。
【００６６】
図１０に示されるとおり、本実施形態の画像編集処理では、まず、操作画面６００上でタブ部の画像４２０のドラッグが開始されたか否かが判断される（ステップＳ２０１）。具体的には、たとえば、ユーザがマウスのボタンを押し下げた状態で、ＰＣ２００のディスプレイ２０４に表示されているタブ部の画像４２０上でポインタの移動を開始したか否かが判断される。
【００６７】
タブ部の画像４２０のドラッグが開始されていないと判断される場合（ステップＳ２０１：ＮＯ）、タブ部の画像４２０のドラッグが開始されるまで待機する。一方、タブ部の画像４２０のドラッグが開始されたと判断される場合（ステップＳ２０１：ＹＥＳ）、ドラッグ開始位置が、タブ部の画像４２０の上端部または下端部であるか否かが判断される（ステップＳ２０２）。より具体的には、ユーザによってポインタの移動が開始された時点におけるポインタの位置が、タブ部の画像４２０の上端部または下端部であるか否かが判断される。
【００６８】
ドラッグ開始位置がタブ部の画像４２０の上端部または下端部であると判断される場合（ステップＳ２０２：ＹＥＳ）、ステップＳ２０７以下に示されるタブ画像サイズ変更処理に移行する。ステップＳ２０７以下に示すタブ画像サイズ変更処理についての詳細な説明は後述する。
【００６９】
一方、ドラッグ開始位置がタブ部の画像４２０の上端部または下端部でないと判断される場合（ステップＳ２０２：ＮＯ）、タブ部の画像４２０がドロップされたか否かが判断される（ステップＳ２０３）。具体的には、ユーザによりマウスのボタンが離されたか否かが判断される。
【００７０】
タブ部の画像４２０がドロップされていないと判断される場合（ステップＳ２０３：ＮＯ）、タブ部の画像４２０がドロップされるまで待機する。一方、タブ部の画像４２０がドロップされたと判断される場合（ステップＳ２０３：ＹＥＳ）、タブ部の画像４２０のドロップ位置が見出しタブ付画像４５０内であるか否かが判断される（ステップＳ２０４）。具体的には、ユーザによりマウスのボタンが離された時点におけるポインタの位置が、見出しタブ付画像４５０内であるか否かが判断される。
【００７１】
タブ部の画像４２０のドロップ位置が、見出しタブ付画像４５０内であると判断される場合（ステップＳ２０４：ＹＥＳ）、見出しタブ付画像４５０におけるタブ部の画像４２０の位置が変更される（ステップＳ２０５）。本実施形態では、画像ファイル５００におけるタブ部のデータ５２０の描画コマンドの記述が変更されることにより、用紙本体部４１０の所定位置に設けられているタブ部の画像４２０が、前記所定位置とは異なる用紙本体部４１０の他の位置に移動される。
【００７２】
一方、タブ部の画像４２０のドロップ位置が、見出しタブ付画像４５０内ではないと判断される場合（ステップＳ２０４：ＮＯ）、タブ部の画像４２０が他の原稿の画像に移動される（ステップＳ２０６）。たとえば、第１の原稿の画像上に重ね合わされていたタブ部の画像４２０が、第２の原稿の画像上に移動される。
【００７３】
図１１は、タブ部の画像の他の原稿の画像上への移動に対応する画像ファイルの変更内容を示す図である。
【００７４】
図１１（Ａ）は、第１ページの画像上にタブ部の画像が重ね合わされている場合の画像ファイルの構成を示し、図１１（Ｂ）は、第２ページの画像上にタブ部の画像が重ね合わされている場合の画像ファイルの構成を示す。
【００７５】
図１１（Ａ）に示されるとおり、第１ページの画像上にタブ部の画像４２０が重ね合わされている場合、第１ページに対応する用紙本体部のデータ５１０ａと第２ページに対応する用紙本体部のデータ５１０ｂとの間に、タブ部のデータ５２０が位置されている。本実施形態では、タブ部の画像４２０を第１ページの画像上から第２ページの画像上に移動させるユーザ操作にともなって、図１１（Ｂ）に示されるとおり、タブ部のデータ５２０が、第２ページに対応する用紙本体部のデータ５１０ｂの下部に移動される。
【００７６】
以上のとおり、ステップＳ２０１〜Ｓ２０６に示す処理によれば、ユーザ操作により、見出しタブ付画像４５０におけるタブ部の画像４２０の位置が移動される。あるいは、ユーザ操作により、タブ部の画像４２０が第１の原稿の画像上から第２の原稿の画像上に移動される。
【００７７】
一方、ステップＳ２０２に示す処理において、ドラッグ開始位置が、タブ部の画像４２０の上端部または下端部であると判断される場合（ステップＳ２０２：ＹＥＳ）、タブ部の画像４２０がドロップされたか否かが判断される（ステップＳ２０７）。具体的には、ユーザによりマウスのボタンが離されたか否かが判断される。
【００７８】
タブ部の画像４２０がドロップされていないと判断される場合（ステップＳ２０７：ＮＯ）、タブ部の画像４２０がドロップされるまで待機する。一方、タブ部の画像４２０がドロップされたと判断される場合（ステップＳ２０７：ＹＥＳ）、タブ部の画像４２０の画像サイズの変更があるか否かが判断される（ステップＳ２０８）。具体的には、ドラッグ開始位置からドロップ位置までの距離に基づいて、タブ部の画像４２０の画像サイズの変更があるか否かが判断される。
【００７９】
タブ部の画像４２０の画像サイズの変更がないと判断される場合（ステップＳ２０８：ＮＯ）、処理が終了される。一方、タブ部の画像４２０の画像サイズの変更があると判断される場合（ステップＳ２０８：ＹＥＳ）、タブ部の画像４２０の画像サイズが変更される（ステップＳ２０９）。具体的には、たとえば、用紙本体部の画像４１０の長さの８分の１の長さに相当するタブ部の画像４２０の長さが、用紙本体部の画像４１０の長さの５分の１の長さに相当するように変更される。
【００８０】
図１２は、タブ部の画像の画像サイズの変更に対応する画像ファイルの変更内容を示す図である。
【００８１】
図１２（Ａ）は、タブ部の画像の長さが用紙本体部の画像の長さの８分の１の長さに相当する場合の画像ファイルを示し、図１２（Ｂ）は、タブ部の画像の長さが用紙本体部の画像の長さの５分の１の長さに相当する場合の画像ファイルの構成を示す。
【００８２】
タブ部の画像４２０の画像サイズが変更される場合、タブ部のデータ５２０の描画コマンドおよびタブ識別子の記述が変更される。具体的には、タブ部のデータ５２０ａの描画コマンドおよびタブ識別子における「２５ｃｍ」という記述５２８が、「４０ｃｍ」という記述５２８’に変更される。
【００８３】
以上のとおり、ステップＳ２０７〜Ｓ２０９に示す処理によれば、ユーザ操作により、見出しタブ付画像４５０におけるタブ部の画像４２０の画像サイズが変更される。
【００８４】
そして、図１０に示されるフローチャートの処理によれば、ＭＦＰ１００で生成された原稿の画像ファイルがユーザにより編集され、編集結果が画像ファイルに反映される。
【００８５】
次に、図１３および図１４を参照して、画像ファイルの印刷処理について説明する。
【００８６】
図１３は、図１に示されるＭＦＰにおける画像印刷処理を説明するためのフローチャートである。なお、図１３のフローチャートにより示されるアルゴリズムは、ＭＦＰ１００の記憶部１０２にプログラムとして記憶されており、制御部１０１により実行される。
【００８７】
図１３に示されるとおり、本実施形態の画像印刷処理では、まず、印刷データが解析される（ステップＳ３０１）。本実施形態では、ＰＣ２００から送信される印刷データがＭＦＰ１００によって受信され、受信された印刷データが解析される。印刷データには、ＰＣ２００を介してユーザにより編集された画像ファイルが含まれている。
【００８８】
次に、印刷データに見出しタブ付画像４５０が含まれているか否かが判断される（ステップＳ３０２）。本実施形態では、印刷データに含まれる画像ファイル５００にタブ識別子５２３が含まれているか否かが判断されることにより、印刷データに見出しタブ付画像４５０が含まれているか否かが判断される。
【００８９】
印刷データに見出しタブ付画像４５０が含まれていないと判断される場合（ステップＳ３０２：ＮＯ）、ステップＳ３０５以下の処理に移行する。一方、印刷データに見出しタブ付画像４５０が含まれていると判断される場合（ステップＳ３０２：ＹＥＳ）、タブ紙印刷処理が有効であるか否かが判断される（ステップＳ３０３）。本実施形態では、見出しタブ付画像４５０を復元してタブ紙に印刷する処理についてのユーザ設定が有効であるか否かが判断される。
【００９０】
タブ紙印刷処理が有効でないと判断される場合（ステップＳ３０３：ＮＯ）、ステップＳ３０５以下の処理に移行する。一方、タブ紙印刷処理が有効であると判断される場合（ステップＳ３０３：ＹＥＳ）、タブ紙印刷用の印刷データが生成される（ステップＳ３０４）。本実施形態では、画像ファイル５００におけるタブ部のデータ５２０が変更されることによりタブ紙の画像が復元され、タブ紙印刷用の印刷データが生成される。
【００９１】
図１４は、タブ紙の画像を復元する処理を説明するための図である。
【００９２】
図１４（Ａ）は、見出しタブ付画像の画像ファイルの構成を示し、図１４（Ｂ）は、タブ紙の画像の画像ファイルの構成を示す。
【００９３】
図１４に示されるとおり、本実施形態におけるタブ紙の画像復元処理では、描画コマンドの記述が変更される。具体的には、タブ識別子５２３の「０  ０  ２４０  ２００  ２００  ２００ｃｍ」という記述に基づいて、描画情報５２２の「１０  ０  ２００  ２００  ２００  ２００ｃｍ」という記述５２９が、「０  ０  ２４０  ２００  ２００  ２００ｃｍ」という記述５２９’に変更される。記述の変更にともなって、タブ識別子５２３が削除される。
【００９４】
次に、印刷用の画像データが生成される（ステップＳ３０５）。本実施形態では、ステップＳ３０１に示す処理で解析された印刷データまたはステップＳ３０４に示す処理で生成された印刷データから、ビットマップ形式の画像データと印刷設定情報とが生成される。画像データと印刷設定情報とは、画像形成部１０７に転送される。
【００９５】
そして、画像データに基づく画像が印刷され（ステップＳ３０６）、処理が終了される。本実施形態では、タブ紙印刷処理が有効である場合、タブ紙が挿入されつつ、原稿の画像が印刷出力される。一方、タブ紙印刷処理が有効でない場合、見出しタブ付画像４５０が用紙上にそのまま印刷される。
【００９６】
以上のとおり、図１３に示されるフローチャートの処理によれば、見出しタブ付画像を含む原稿の画像ファイルに基づく印刷が実行される。その結果、タブ紙の画像情報が失われることなく、原稿の画像ファイルに基づく画像が印刷される。
【００９７】
本発明は、上記した実施形態のみに限定されるものではなく、特許請求の範囲内において、種々改変することができる。
【００９８】
たとえば、上記実施形態では、ＰＣのディスプレイ上に表示される操作画面からユーザによる見出しタブ付画像の編集が受け付けられた。しかしながら、ＭＦＰの操作パネル部に見出しタブ付画像を表示させ、操作パネル部からユーザによる見出しタブ付画像の編集が受け付けられてもよい。
【００９９】
また、上記実施形態では、操作画面を介したユーザ操作により、第１ページの画像上に重ね合わされていたタブ部の画像が、用紙本体部の画像とは別に、第２ページの画像上に移動された。しかしながら、タブ部の画像は、用紙本体部の画像と分離されて移動されなくともよく、見出しタブ付画像自体が移動されてもよい。
【０１００】
また、上記実施形態では、画像処理装置としてＭＦＰが例示されているが、本発明はこれに限定されるものではない。本発明は、たとえば、プリンタ、複写機等の他の画像形成装置にも適用可能であり、印刷装置と分離された印刷制御装置にも適用可能である。あるいは、本発明は、スキャナに接続されたＰＣにも適用可能である。
【０１０１】
本実施形態にかかる画像処理装置における各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、画像処理装置の一機能としてその装置のソフトウエアに組み込まれてもよい。
【符号の説明】
【０１０２】
１００  ＭＦＰ、
１０１，２０１  制御部、
１０２，２０２  記憶部、
１０３  操作パネル部、
１０４  ＡＤＦ、
１０５  画像読取部、
１０６  給紙部、
１０７  画像形成部、
１０８，２０５  通信インタフェース、
１０９  後処理部、
１１０，２０６  バス、
２００  ＰＣ、
２０３  入力装置、
２０４  ディスプレイ、
３００  ネットワーク、
４００  タブ紙の画像、
４１０  用紙本体部の画像、
４２０  タブ部の画像、
４５０  見出しタブ付画像、
５００  画像ファイル、
６００  操作画面。
【図１】
2010171492.tif 000004
【図２】
2010171492.tif 000005
【図３】
2010171492.tif 000006
【図４】
2010171492.tif 000007
【図５】
2010171492.tif 000008
【図６】
2010171492.tif 000009
【図７】
2010171492.tif 000010
【図８】
2010171492.tif 000011
【図９】
2010171492.tif 000012
【図１０】
2010171492.tif 000013
【図１１】
2010171492.tif 000014
【図１２】
2010171492.tif 000015
【図１３】
2010171492.tif 000016
【図１４】
2010171492.tif 000017